(57)【要約】【課題】オゾン影響によるイネの収量に関する分子マーカーを提供し、その分子マーカーを指標にしたイネのオゾンの影響評価方法、及びオゾン影響下での高収量イネを選抜する方法を提供する。【解決手段】本発明は、上記課題を解決するため、被検イネを通常の大気中のオゾン濃度より高い高濃度オゾン環境下かつ高温度環境下の複合環境で処理する工程と、前記処理後の被検イネのサクラネチンの蓄積量を測定する工程と、サクラネチンの検出の有無又は／及び検出量に基づきオゾンにより米の収量への影響の有無又は／及び程度を判定する工程と、からなることを特徴とするサクラネチンを利用したイネのオゾン影響評価方法の構成とした。【選択図】図３
2011033533.tif 000002
【特許請求の範囲】
【請求項１】
被検イネを通常の大気中のオゾン濃度より高い高濃度オゾン環境下かつ高温度環境下の複合環境で処理する工程と、前記処理後の被検イネのサクラネチンの蓄積量を測定する工程と、サクラネチンの検出の有無又は／及び検出量に基づきオゾンにより米の収量への影響の有無又は／及び程度を判定する工程と、からなることを特徴とするサクラネチンを利用したイネのオゾン影響評価方法。
【請求項２】
被検イネを通常の大気中のオゾン濃度より高い高濃度オゾン環境下かつ高温度環境下の複合環境で処理する工程と、前記被検イネと同品種の対照イネを通常の大気中のオゾン濃度より低いオゾン環境下かつ高温度環境下又は高温度環境下より低い温度環境下の対照環境で処理する工程と、処理後の前記被検イネ及び対照イネのサクラネチンの蓄積量を測定する工程と、測定された被検イネと対照イネのサクラネチンの蓄積量とを比較する工程と、前記複合環境下の被検イネのサクラネチンの蓄積量の前記対照環境下におけるサクラネチンの蓄積量に対する増減量に基づき前記被検イネの米の収量に対するオゾンの影響の有無又は／及び程度を判定する工程と、からなることを特徴とするサクラネチンを利用したイネのオゾン影響評価方法。
【請求項３】
前記高濃度オゾン環境が、オゾン濃度０．０６〜２ｐｐｍの範囲であることを特徴とする請求項１又は請求項２に記載のイネのオゾン影響評価方法。
【請求項４】
前記高温度環境が、２７〜５０℃の範囲であることを特徴とする請求項１〜請求項３の何れか１項に記載のサクラネチンを利用したイネのオゾン影響評価方法。
【請求項５】
前記被検イネのサクラネチンの蓄積量が、０．２μｇ／ｇ生重量以上である場合に、オゾンの影響により米の収量が低下しない又は低下しにくいイネ品種であると判定することを特徴とする請求項１〜請求項４の何れか１項に記載のサクラネチンを利用したイネのオゾン影響評価方法。
【請求項６】
前記被検イネのサクラネチンの蓄積量から前記対照イネのサクラネチンの蓄積量を差し引いた値が、
０．２μｇ／ｇ生重量以上である場合に、オゾンの影響により米の収量が低下しない又は低下しにくいイネ品種であると判定することを特徴とする請求項２〜請求項５の何れか１項に記載のサクラネチンを利用したイネのオゾン影響評価方法。
【請求項７】
前記複合環境が、発芽した被検イネを高温度環境下で５日間〜生育終了までの期間生育させている間又は生育させた後、高濃度オゾン環境下に１時間〜生育終了までの期間暴露させることを特徴とする請求項１〜請求項６の何れか１項に記載のサクラネチンを利用したイネのオゾン影響評価方法。
【請求項８】
請求項１〜請求項７の何れか１項に記載のサクラネチンを利用したイネのオゾン影響評価方法を用いて、オゾン影響下においても米の収量が低下しない又は低下しにくいイネ品種を選択することを特徴とするイネ品種の選抜方法。
【請求項９】
請求項８に記載のイネ品種の選抜方法を用いて、選抜、育種されたことを特徴とするイネ。
【発明の詳細な説明】
【技術分野】
【０００１】
本発明は、サクラネチンを利用したイネの米の収量に対するオゾンの影響を評価する方法に関する。詳細には、高温度環境で高濃度オゾン環境によるサクラネチンの蓄積量を測定することにより、オゾン影響による収量の減少が起こりにくいイネ品種の選抜等に応用できるサクラネチンを利用したイネのオゾン影響評価方法、それによって選抜されたイネに関する。
【背景技術】
【０００２】
特にアジア地域では、急速な経済発展に伴って窒素酸化物の放出量が増大し、地表オゾン濃度の上昇が大きな問題となってきている。オゾンは二酸化炭素やメタンなどの温室効果ガスと同様に温暖化に関与するだけでなく、オゾンを主成分とする光化学オキシダントによる人間の健康への悪影響や地表オゾン濃度上昇による農作物や森林への悪影響が懸念されていることもあり、地球規模の気候変動や環境汚染においてオゾンを考慮することは最も重要な課題であるといわれている。
【０００３】
地表オゾン濃度上昇は、小麦、米、大豆などの主要作物の収量減少に関与し、さらに温暖化に伴う地表オゾン濃度上昇は、農作物収量に想像以上の深刻な影響を与えるだろうといわれている（非特許文献１）。
【０００４】
よって、農作物、特にイネ品種でのオゾンや高温への抵抗性や収量性に関する研究を行うこと、さらにはオゾンと高温度などの複合環境が農作物収量に与える影響調査をすすめることは、今後のアジア地域を中心とした食料生産に大きく貢献できると思われる。
【０００５】
従来、紫外線、乾燥、高温、低温、大気汚染などの環境ストレスが植物に与える影響評価試験には特殊な設備が必要であり、さらに成長や収量への影響評価には長期間の暴露試験を行う必要もあり、多額の費用と時間を要していた。
【０００６】
よって、オゾンや高温影響下の抵抗性や高収量性を実験室レベルで早期に評価できる分子マーカーを開発することで、オゾンや高温の影響評価の測定を簡易に行えるようになり、オゾンと高温の単独又は複合環境下での高収量性のイネ品種の選択や育種への効率化にも貢献できると考えられる。
【０００７】
また、従来から環境ストレスが植物に与える影響を分子レベルで評価しようとする研究がなされ、指標となる遺伝子やタンパク質などの分子マーカーも多く見出されている。イネで用いられるＤＮＡマーカーには以下のようなものがある。
（１）Ｐｂ１遺伝子と連鎖する分子マーカーを指標にイネの穂いもち抵抗性を識別する方法（特許文献１）
（２）アルミニウム耐性に関与する遺伝子、およびその利用（特許文献２）
（３）冠さび病抵抗性イネ科植物の選抜法（特許文献３）
（４）病害抵抗性植物の選抜法（特許文献４）
（５）低温耐性植物、並びにその製造方法及び同定方法（特許文献５）
（６）除草剤抵抗性遺伝子（特許文献６）
上記のように土壌汚染物資や病気、あるいは寒冷地向きイネ育成のため低温抵抗性の遺伝子マーカーなどはあるが、オゾン影響下のイネの収量性に関する分子マーカーは現在のところ見つかっていない。
【０００８】
植物における収量性に関するマーカーに関しては以下のようなものがある。
（１）穀物の収量を増加させる遺伝子、並びにその利用（特許文献７）
（２）植物の茎頂分裂組織の転換の時間的制御に関わる新規遺伝子、及びその利用（特許文献８）
上記特許文献はサイトカイニン酸化酵素遺伝子の塩基配列の違いを解析することで収量性を判断する方法（特許文献７）、あるいはａｐｏ１遺伝子の塩基配列の違いを解析することで収量性を判断する方法（特許文献８）であるが、いずれも環境ストレス条件下においての収量性との関係は明記されていない。
【発明の概要】
【発明が解決しようとする課題】
【０００９】
本発明は、オゾン影響によるイネの収量に関する分子マーカーを提供し、その分子マーカーを指標にしたイネのオゾンの影響評価方法、及びオゾン影響下での高収量イネを選抜する方法を提供することを課題とする。
【課題を解決するための手段】
【００１０】
発明者らはイネ６品種に関して常温及び高温下におけるオゾン影響と分子マーカー、及び収量性に関する研究を進めていたところ、高濃度オゾンと高温の複合環境におけるイネ葉のサクラネチン蓄積量が、オゾンによる収量減少への抵抗性と高い相関関係があることを見出した。
【００１１】
サクラネチンはファイトアレキシンと総称される抗菌性二次代謝産物の一種で、病原体感染に対する抵抗性反応で生産が誘導される。サクラネチンの構造式を図１に示す。
【００１２】
イネからは約１５種類ほどのファイトアレキシンが報告されているが、中でもサクラネチンとモミラクトンＡはいもち病菌抵抗性において中心的な働きをするため、サクラネチンとモミラクトンＡのいもち病菌抵抗性に関する研究は多くなされている。他方、ジャスモン酸、キトサン、二酸化硫黄などの環境因子に対するストレス応答にもファイトアレキシンの働きが重要であることも報告されている（非特許文献２）。
【００１３】
また、ファイトアレキシン蓄積を誘導する植物茎葉散布用組成物を塗布することで、サクラネチンとモミラクトンＡの蓄積量が増加し、植物の病気に対する抵抗を高め、高収量性につながるとの文献もある（特許文献９）。
【００１４】
発明者らは、イネ品種日本晴においてオゾン暴露によりサクラネチンが蓄積することを見出していた（非特許文献３）。他方、６品種のイネを用いてオゾンや高温によるイネの収量影響と関係がある分子マーカーを探索した結果、高濃度オゾンと高温度環境の複合環境処理後のサクラネチン蓄積量が、オゾンによる収量減少への抵抗性と高い相関関係を持っていることを今回初めて見出した。それにより本発明を完成させるに至った。
【００１５】
本発明者らは上記課題を解決するために、より具体的には、被検イネを通常の大気中のオゾン濃度より高い高濃度オゾン環境下かつ高温度環境下の複合環境で処理する工程と、前記処理後の被検イネのサクラネチンの蓄積量を測定する工程と、サクラネチンの検出の有無又は／及び検出量に基づきオゾンにより米の収量への影響の有無又は／及び程度を判定する工程と、からなることを特徴とするサクラネチンを利用したイネのオゾン影響評価方法の構成とした。また、被検イネを通常の大気中のオゾン濃度より高い高濃度オゾン環境下かつ高温度環境下の複合環境で処理する工程と、前記被検イネと同品種の対照イネを通常の大気中のオゾン濃度より低いオゾン環境下かつ高温度環境下又は高温度環境下より低い温度環境下の対照環境で処理する工程と、処理後の前記被検イネ及び対照イネのサクラネチンの蓄積量を測定する工程と、測定された被検イネと対照イネのサクラネチンの蓄積量とを比較する工程と、前記複合環境下の被検イネのサクラネチンの蓄積量の前記対照環境下におけるサクラネチンの蓄積量に対する増減量に基づき前記被検イネの米の収量に対するオゾンの影響の有無又は／及び程度を判定する工程と、からなることを特徴とするサクラネチンを利用したイネのオゾン影響評価方法の構成とした。
【００１６】
また、前記高濃度オゾン環境が、オゾン濃度０．０６〜２ｐｐｍの範囲であることを特徴とする前記何れかに記載のイネのオゾン影響評価方法の構成、前記高温度環境が、２７〜５０℃の範囲であることを特徴とする前記何れかに記載のサクラネチンを利用したイネのオゾン影響評価方法の構成とした。
【００１７】
さらに、前記被検イネのサクラネチンの蓄積量が、０．２μｇ／ｇ生重量以上である場合に、オゾンの影響により米の収量が低下しない又は低下しにくいイネ品種であると判定することを特徴とする前記何れかに記載のサクラネチンを利用したイネのオゾン影響評価方法の構成、また前記被検イネのサクラネチンの蓄積量から前記対照イネのサクラネチンの蓄積量を差し引いた値が、０．２μｇ／ｇ生重量以上である場合に、オゾンの影響により米の収量が低下しない又は低下しにくいイネ品種であると判定することを特徴とする前記何れかに記載のサクラネチンを利用したイネのオゾン影響評価方法の構成とした。
【００１８】
前記複合環境が、発芽した被検イネを高温度環境下で５日間〜生育終了までの期間生育させている間又は生育させた後、高濃度オゾン環境下に１時間〜生育終了までの期間暴露させることを特徴とする前記何れかに記載のサクラネチンを利用したイネのオゾン影響評価方法の構成とした。
【００１９】
前記何れかに記載のサクラネチンを利用したイネのオゾン影響評価方法を用いて、オゾン影響下においても米の収量が低下しない又は低下しにくいイネ品種を選択することを特徴とするイネ品種の選抜方法の構成とした。また、前記イネ品種の選抜方法を用いて、選抜、育種されたことを特徴とするイネの構成とした。
【００２０】
より詳しくは、オゾンによる米の収量への影響の有無とは、所定のオゾン濃度であるときイネの米の収量に対してオゾンの影響が有る、無いということである。極めて高いオゾン濃度であれば、何れのイネ品種であっても何らかのオゾンの影響はあるので、場合によっては致死的でもあるので、ここで影響が無いとするのは、オゾン濃度との関連においてであり、どのようなオゾン濃度であってもオゾンによる影響がないということではない。
【００２１】
オゾンによる米の収量への影響の程度とは、所定のオゾン濃度であるとき、あるイネ品種の米の収量がオゾンの影響を受けやすい、影響を受けにくいという相対的判断である。また、米の収量が低下しない又は低下しにくいとは、上記同様に、所定のオゾン濃度であるとき、オゾンによりあるイネ品種の米の収量が低下しない又は低下しにくいと判定することである。
【００２２】
従って、このようにして判定、選抜されたイネは、自然環境中のオゾン濃度の上昇において、米の収量減少に対する抵抗性がより強いイネということになる。つまり、サクラネチンは、オゾンの影響によるイネの米収量減少に関する分子マーカーであるといえる。
【００２３】
高濃度オゾン環境は、通常の大気中のオゾン濃度より高い濃度であればよいが、より好ましい高濃度オゾンの範囲は、０．０６ｐｐｍ〜２ｐｐｍである。０．０６ｐｐｍより低濃度では、オゾンストレスが弱くサクラネチン蓄積量又は対照イネとの差が小さすぎ或いは認められず、誤判定を起こしやすい。なお、通常の大気中のオゾン濃度とは、光化学オキシダントが発生しているときや越境大気汚染が来ているときにオゾン濃度が高まっている場合は除き、概ね０．０６ｐｐｍより低い値である。
【００２４】
高濃度オゾンの上限は、イネにとって致死的でない濃度で暴露時間によって異なる。概ね２ｐｐｍを越えると、オゾンストレスが強すぎ短い期間でもイネには致死的でサクラネチンの収量を求めることができないことがあるため好ましくない。イネにおいて最も好適な高濃度オゾン環境は、オゾン濃度０．１５ｐｐｍである。
【００２５】
高温度環境としては、２７℃以上で上限は致死的でない温度、例えば５０℃以下が好ましい。高温度が２７℃より低温であると、オゾン感受性の品種でもサクラネチンが蓄積しやすくなるため誤判定が発生する危険性が高まる。また高温度が５０℃より高い温度域ではそもそもイネが生育できる環境でないため好ましくない。ただし、致死的でない場合においては、特に短時間であれば、当然に５０℃以上であっても構わない。高温度条件として、より好ましくは３０℃〜４０℃程度である。イネにおいて、３０℃が最も好適である。なお、高温度環境下より低い温度環境下とは、前記高温度環境の下限２７℃より低い温度かつ低温障害が発生しない温度の範囲のことである。
【００２６】
高温度処理は、より詳しくは、温度により異なるが、５〜３０日間程度、さらには生育終了まで可能である。より具体的には例えば３０℃であれば発芽後に鉢に植えてから８〜１０日間程度でよい。これより短いとイネの生育が不充分なため、得られる葉の試料が少なくなる。一方、これより長くなるほど、手法の簡便性が失われてゆく。
【００２７】
高濃度オゾン処理は、より詳しくは、オゾン濃度により異なるが、１時間〜３０日間程度、さらには生育終了まで可能である。より具体的には例えば０．１５ｐｐｍ程度であれば、６時間〜２４時間程度でよい。高濃度オゾン処理時間が６時間より短いとサクラネチンの蓄積の誘導が充分に起こらず、２４時間より処理時間を長くしてもサクラネチンの蓄積量は処理時間に比例して増加しない。
【００２８】
高濃度オゾン処理は、高温度処理を実施した後、又は実施中のイネに行う。高濃度オゾン処理時間が２４時間以上の場合は、処理直後に試料（イネ葉等）を採取することが望ましい。高濃度オゾン処理後のサクラネチンの分解による減少が起きる前にサクラネチンの蓄積量の測定をすることが望ましいからである。但し、高濃度オゾン処理時間が２４時間未満の場合は、サクラネチンが充分に蓄積するのを待つため、高濃度オゾン処理開始から２４時間以降に試料を採取するのが望ましい。
【００２９】
高濃度オゾン処理の代わりに清浄空気で同様に処理した試料を対照イネとして、サクラネチン含量を測定し、サクラネチンの蓄積が高濃度オゾン処理によるものであることを確認することが望ましい。
【００３０】
高濃度オゾン処理期間は、特に発芽直後でなくてもイネの生育期であればどの時期に設けてもよいが、発芽直後から処理を実施することで、オゾンの影響をより早期に判定することができることとなる。
【００３１】
高濃度オゾン処理に起因する被検イネのサクラネチンの蓄積量が、例えばイネ葉において、０．２μｇ／ｇ生重量以上である場合に、測定誤差等の誤差を排除し、オゾンの影響により米の収量が低下しない又は低下しにくいイネ品種に特徴的なサクラネチンの蓄積量であると捉えることができ、誤判定が回避される。
【００３２】
イネが健全に育った場合には、通常の大気中のオゾン濃度より低いオゾン環境下ではサクラネチンの蓄積がほとんど起こらないが、生育中に病原体感染等の影響によりサクラネチンが蓄積する可能性があるため、対照イネとの比較に基づき、高濃度オゾン環境下の被検イネのサクラネチンの蓄積量から対照イネのサクラネチンの蓄積量を差し引いた値を高濃度オゾン処理に起因するサクラネチンの蓄積量とし、この値が、例えばイネ葉において、０．２μｇ／ｇ生重量以上である場合に、測定誤差等の誤差を排除し、オゾンの影響により米の収量が低下しない又は低下しにくいイネ品種に特徴的なサクラネチンの蓄積量であると捉えることができ、誤判定が回避され、より精度の高いイネのオゾン影響を判定することができることとなる。
【発明の効果】
【００３３】
本発明者らは、特に植物ファイトアレキシンとして知られるサクラネチンの蓄積量が、イネ品種におけるオゾンの収量への影響に関し、特に収量減少への抵抗性と高い相関性を持つことを見出した。これにより、高温度環境で高濃度オゾンによるイネ葉のサクラネチン蓄積量を測定することで、そのイネ品種のオゾン環境下での収量影響評価が早期に判断でき、効率的な育種等に貢献できることとなる。
【図面の簡単な説明】
【００３４】
【図１】サクラネチンの構造式である。
【図２】高濃度オゾンと温度との影響を調べる試験の模式図である。
【図３】オゾンによるサクラネチン及びモミラクトンＡ生成と収量影響との関係を調べた結果（表）である。
【図４】収量測定に用いた暴露オゾン濃度（ｐｐｂ）の日パターンである。
【図５】イネ収量（相対収量）に及ぼすオゾンの影響を調べた結果である。
【発明を実施するための形態】
【００３５】
本発明の実施の一形態について説明すれば、以下の通りである。なお、言うまでもないが、本発明は、特に本実施の形態の記載のみに限定されるものではない。
【実施例１】
【００３６】
［イネ栽培方法及び高濃度オゾンと高温度環境処理方法］
日本型（japonica）品種の日本晴（Nipponbare）、コシヒカリ（Koshihikari）、きらら３９７（Kirara３９７）及びにこまる（Nikomaru）と、インド型（indica）品種のタカナリ（Takanari）及びカサラス（Kasalath）の合計６品種を選択した。
【００３７】
・イネ籾の入手先
「日本晴」、「コシヒカリ」及び「きらら３９７」は（独）農業環境技術研究所、「にこまる」は（独）農研機構・九州農業研究センター、「タカナリ」は（独）農研機構・作物研究所、「カサラス」は（独）国立環境研究所より入手した。
【００３８】
・イネ籾の殺菌
５０ｍｌの希釈次亜塩素酸ナトリウム溶液（次亜塩素酸ナトリウム溶液（Sodium hypochlorite solution）：和光純薬工業（株）を１／４に滅菌水で希釈した）に対して、１００粒のイネ種子｛しゅし｝を加え、３０分間の振とうによる殺菌処理を行い、その後５０ｍｌの滅菌水で２分間の振とうによる洗浄処理を１０回行った。
【００３９】
・イネ籾の発芽
殺菌洗浄後のイネ種子｛しゅし｝は２００ｍｌ容のビーカーに移し、５０〜１００ｍｌの滅菌水を加え、アルミホイルで全体を覆い３日間、２５℃の暗条件下で発芽させた。発芽処理の際、滅菌水は１日毎に取り換えた。
【００４０】
・発芽イネ籾の播種
同程度の発芽状態のイネ種子｛しゅし｝を栽培用プラスチックケースに入れた育苗用床土（くみあい粒状培土Ｋ、田植機用育苗床土：全農）の上に３０−４０粒並べ、さらに種の上に育苗用床土をかるくふるい、蒸留水を十分にかけた。栽培用プラスチックケースの下の水受けには十分な蒸留水を入れた。
【００４１】
・複合環境処理前生育
その後、２５℃と３０℃の温度に設定された各チャンバーに栽培用プラスチックケースを設置し、１２時間ごとの明暗周期（ａｍ７:００−ｐｍ７:００までが明条件）、相対湿度７０％の条件で生育させた。明条件は白色蛍光｛はくしょく けいこう｝灯を用いて光強度約４００μｍｏｌｍ−２ｓ−１に設定した。
【００４２】
・高濃度オゾン暴露
２５℃では１０日間、３０℃では８日間生育させた後、イネをプラスチックケースごとそれぞれ２５℃と３０℃に設定されたオゾンチャンバーに移し、０．１５ｐｐｍ濃度の高濃度オゾン処理（風速０．２２ｍ／ｓ）を６時間行った。高濃度オゾン処理は、午前１０:００から開始させ、午後４:００に終了させた。いずれもメタルハライドランプ｛はくしょく けいこう｝を用いた光強度約４００μｍｏｌｍ−２ｓ−１の明条件で、相対湿度７０％で行った。
【００４３】
・対照実験（非高濃度オゾン環境）
対照区としてフィルター処理した汚染のない空気（風速０．２２ｍ／ｓ）を使用し、他の条件は全て高濃度オゾン処理のものと同じ設定で行った。高濃度オゾン処理後に、それぞれ２５℃と３０℃の温度に設定されたもとのチャンバーに戻し、１２時間ごとの明暗周期、相対湿度７０％の条件で２５℃、３０℃ともオゾン暴露終了から２４時間後の午後４:００に葉のサンプリングを行った（図２）。
【００４４】
［イネ葉のサンプリング方法及び調製方法］
・イネ葉のサンプリング
サンプリングには下から３番目の葉を使用した（図２）。イネのストレス応答解析研究のモデルシステムにおいて３番目の葉を使用している。下から３番目の葉は安定しており再現性に優れていることが解っていることから（非特許文献２）、今回の実験でも３番目の葉を用いることにした。
【００４５】
・イネ葉の処理
各栽培用プラスチックケースから３０枚の葉をハサミで切り取り、直ちに液体窒素で凍結させた。凍結イネ葉３０枚をすべて液体窒素と共に乳鉢に入れ、細かなパウダー状になるまですりつぶした。パウダー状にする際に液体窒素を常に絶やさないように注意し、パウダー状になったサンプルは液体窒素中で冷やしておいたサンプルチューブに移し、−８０℃で保存した。
【００４６】
［サクラネチン及びモミラクトンＡの定量方法］
・指標物質の溶出
パウダー状のイネ葉サンプル１５０−２００ｍｇを５ｍｌの８０％メタノール中で５分間煮沸した。１０ｍｌの塩化ナトリウム溶液を加えた。このサンプル液に５ｍｌの酢酸エチルで３回抽出を繰り返した。抽出液は遠心濃縮し、２ｍｌのｎ−ヘキサンに溶解した。得られた抽出液からＳｅｐ−Ｐａｋ  Ｌｉｇｈｔ  Ｓｉｌｉｃａ  カートリッジ（Ｗａｔｅｒｓ社）にて、イネのファイトアレキシンを溶出（溶媒；酢酸エチル：ｎ−ヘキサン＝１：２）した。
【００４７】
・指標物質の定量
溶出画分は遠心濃縮し、２ｍｌのメタノールに溶解し、そのうち２μlをＨＰＬＣ（カラム：
Ｘｂｒｉｄｇｅ  Ｃ１８  ３．５μm，２．１ｘ１５０（Ｗａｔｅｒｓ社）、溶媒：メタノール：水＝４：１、流速；０．１ｍｌ／ｍｉｎ）で分画し、ＬＣ−ＭＳ／ＭＳ分析（ＰＥ  Ｓｃｉｘ  ＡＰＩ−２０００（ＰｅｒｋｉｎＥｌｍｅｒ社）（非特許文献４））により、サクラネチン及びモミラクトンＡの蓄積量を定量した。
【００４８】
検出はＳＩＭモード、ＭＲＭモードの組み合わせで、サクラネチンがｍ／ｚ２８７、モミラクトンＡがｍ／ｚ３１５／２７１の条件で行った。図３に２５℃及び３０℃での高濃度オゾン処理後のサクラネチンとモミラクトンＡの蓄積量の結果を示した。
【実施例２】
【００４９】
［イネ野外暴露処理及び収量の測定方法］
・育苗
クミアイテクリードＣフロアブル（クミアイ化学工業製；イプコナゾール・銅水和剤２００倍）とスミチオン乳剤（協友アグリ製；１０００倍）の混合液にイネ種子｛しゅし｝を２４時間浸漬処理した後、流水洗、催芽を行い、水稲用育苗箱に播種し、ガラス室内で育苗した。
【００５０】
・暴露環境
病虫害予防用にビルダープリンス粒剤（北興化学工業製；フィプロニル・プロベナゾール粒剤）を育苗箱あたり５０ｇ散布し、育苗した苗は赤城試験センター（群馬県前橋市苗ヶ島町）内の標高５４０ｍ地点に設置されているオープントップチャンバー（間口３．６ｍ、奥行３．６ｍ、高さ２．４ｍ、以下、ＯＴＣと記す）内にあらかじめブロック配置したポットに定植を行うとともに高濃度オゾンの暴露処理、高温度処理を開始した。
【００５１】
・用土
実験に用いた用土は、構内で採取した黒ボク土を用い、ポットは白色の１／２０００ａのワグネルポット（土壌容量１２Ｌ）を用い、ポットあたり４個体を定植した。なお、ＯＴＣの構造等の詳細は非特許文献５に記した通りである。
【００５２】
・生育（灌水及び施肥）
ポットへの灌水は、自動給水装置を使用して地下水（平均ｐＨ７．７）を灌水するとともに、必要に応じて手灌水を行った。また、チャンバー内に併設したミスト散布装置を用いてポット上部からミスト散布を行った。ミスト散布には脱イオン水（平均ｐＨ５．７）を使用し、１日につき１回約５ｍｍを、１週につき１〜２回の割合で散布した。定植後、くみあいＬＰコート入り複合４４４−Ｄ８０号（１４−１４−１４；チッソ旭肥料製）をポット当たり５．３６ｇ（１５ＫｇＮ／１０ａ相当量）施肥し、追肥は実施しなかった。
【００５３】
・高濃度オゾン濃度設定
ＯＴＣに導入する空気を活性炭フィルターで浄化した浄化空気区（以下、ＣＦ区と記す）と、これに４段階のオゾン添加区を設定した。また、１処理区当たり２つのチャンバー反復を設定した。オゾン添加区に用いた基準オゾン濃度は、埼玉県環境科学国際センター（埼玉県北埼玉郡騎西町）において２０００〜２００７年に観測された５月〜９月のオゾン濃度から時間平均値を求め、これを基準（以下、×１．０と表記）にして、基準濃度の２．０倍の濃度区を設けた（図４、以下、ＣＦ、×２．０区と記す）。
【００５４】
・温度条件
定植から最終収穫までの全試験期間中（６月〜１０月）のチャンバー内の平均気温はそれぞれ２１．１℃であった。なお、試験期間中の屋外の平均気温は１９．８℃であった。
【００５５】
・収穫
イネの籾がほぼ黄色になった段階で、サンプリングし、自動種子精別機（藤原製作所製ＦＶ−４５９Ａ）を用いて全籾をシイナと稔実籾に選別し、それぞれをマルチオートカウンター（藤原製作所製ＫＣ−１０Ｍ３）で計測し、稔実率を求めた。
【００５６】
国産品種については電動もみすり器（ケット科学研究所製ＴＲ−２００）で籾すりを行い，玄米を得た。精籾及び玄米についてはそれぞれ重量を測定した。海外産品種の籾は，電動もみすり器を用いると砕粒米になる割合が著しく高かったため，籾すりは行わず，精籾の収量を比較検討した。
【００５７】
・結果
図５にイネ収量に及ぼすオゾンの影響の結果を示した。オゾンにより収量が減少しやすい品種は、カサラス、タカナリ、きらら３９７であり、にこまる、日本晴、コシヒカリはオゾンにより収量が減少しにくい品種であることが解った。
【００５８】
先に述べた実験室レベルでの高濃度オゾン及び高温度環境処理のイネ葉のファイトアレキシン蓄積量の結果と野外オゾン暴露実験におけるイネ収量の結果とを比較してみると、モミラクトンＡに関しては、２５℃及び３０℃でのオゾン処理のいずれの場合（図３）でも、カサラスを除いたすべての品種において対照区よりも増加しており、収量に相関関係は見られないことが確認できる。
【００５９】
これに対してサクラネチンは、２５℃でのオゾン処理の場合（図３）では、収量の減少したきらら３９７でも対照区より蓄積量の増加がみられるものの、３０℃でのオゾン処理（図３）では、収量減少に影響がなかった品種、にこまる、日本晴、コシヒカリのみで対照区に比べてサクラネチンの蓄積量に増加が確認された。
【００６０】
よって、これらの結果から高温度３０℃での高濃度オゾン処理によるイネ葉のサクラネチン蓄積量を測定することで、早期にオゾン影響下におけるイネ品種の収量性を評価できることから、オゾンによる影響評価や育種分野等に貢献できると思われる。
【産業上の利用可能性】
【００６１】
本発明はイネに及ぼすオゾンの収量影響の判定に利用できるため、環境影響評価及び植物育種の技術分野に貢献できる。
【先行技術文献】
【特許文献】
【００６２】
【特許文献１】特開２００７−５４０２０号公報
【特許文献２】特開２００８−５４５３２号公報
【特許文献３】特開２００８−２３７１７４号公報
【特許文献４】特開平１０−１２７２９０号公報
【特許文献５】特開２００７−２２８９１４号公報
【特許文献６】特表２００９−５１３１３９号公報
【特許文献７】国際公開ＷＯ２００４／０４４２００
【特許文献８】特開２００５−２７８４９９号公報
【特許文献９】特開２００１−１０９１４号公報
【非特許文献】
【００６３】
【非特許文献１】http://royalsociety.org/news.asp?id=3084
【非特許文献２】Jwa et al.(2006) Plant Physiol. Biochem., 44,26-273
【非特許文献３】Cho et al.(2008) J. Proteome Res., 7,2980-2998
【非特許文献４】Nakazato etal. (2000) Biosci. Biotechnol. Biochem., 64,577-583
【非特許文献５】松村秀幸, 河野吉久(2003)常緑広葉樹におよぼす二酸化硫黄とオゾンの単独および複合影響  電力中央研究所  研究報告  U02021.
【図１】
2011033533.tif 000003
【図３】
2011033533.tif 000004
【図２】
2011033533.tif 000005
【図４】
2011033533.tif 000006
【図５】
2011033533.tif 000007